(57)【要約】      （修正有）【課題】対象壁状面に沿って植物を栽培する格子状体を容易確実に固定支持する格子状体支持構造を提供する。【解決手段】Ｌ形断面の支持用鋼材Ｌの一辺を上下等間隔に対象壁状面Ｗに水平状に固定し、切込部Ｃを等間隔に有する他辺を平板状の板状部Ｓとして水平状に突起させる。縦材Ｖと横材Ｈからなる格子状体Ｔのうち所定の横材Ｈが各板状部Ｓの上面に支持され、縦材Ｖにおけるその直下部が切込部Ｃに挿入されている。板状部Ｓの２つおきの各切込部Ｃに挿入された縦材Ｖは、切込部Ｃの第１位置決め部及び第２位置決め部の一方又は両方にボルト・ナットが固定されて切込方向に保持されている。縦材Ｖが切込部Ｃの奥まで挿入された格子状体Ｔと縦材Ｖが切込部Ｃの中間位置に挿入された格子状体Ｔが、端部で前後に重なる状態で垂直状に保持されて格子状体支持構造が形成される。【選択図】図４
2019024441.tif 000002
【特許請求の範囲】
【請求項１】
対象壁状面から突起し、対象壁状面に沿った所定方向に延びる複数の板状部と、
対象壁状面に対し平行状又は傾斜状をなす１又は２以上の格子状体を有し、
前記複数の板状部は、互いに前記所定方向に直交する方向において間隔おきに設けられ、
前記各板状部には、その端縁部から基部に向かう切込部が間隔おきに複数形成され、
前記格子状体は、それぞれの格子を構成する棒状部のうち前記各板状部に対し交差する棒状部が各板状部の切込部に挿入されて切込口への抜止がなされた状態で、前記対象壁状面の前方位置において前記複数の板状部に保持されていることを特徴とする格子状体支持構造。
【請求項２】
植物育成用である請求項１に記載の格子状体支持構造。
【請求項３】
上記抜止が、切込部における挿入された棒状部の切込口側において板状部に対し抜止体を固着することにより行われている請求項１又は２に記載の格子状体支持構造。
【請求項４】
切込部の所要位置に、切込部の幅よりも大きい寸法の抜止体の一部が嵌合し得る拡幅部を、抜止体の位置決め部として有する請求項３記載の格子状体支持構造。
【請求項５】
対象壁状面の前方における、対象壁状面に直交する方向において互いに水平方向間隔を有する複数の位置において、それぞれ別の格子状体が板状部に保持されている請求項１乃至４の何れか１項に記載の格子状体支持構造。
【請求項６】
対象壁状面に直交する方向において互いに水平方向間隔を有する位置のうち何れかの位置において支持された１又は２以上の格子状体と、他の位置において支持された１又は２以上の格子状体が、上下又は左右に或いはその他の方向に互いに一部重なるように配置されている請求項１乃至４の何れか１項に記載の格子状体支持構造。
【請求項７】
上下又は左右に或いはその他の方向に並んだ２以上の格子状体が、互いに一部重なるように、又は重ならないように支持された請求項１乃至５の何れか１項に記載の格子状体支持構造。
【請求項８】
板状部が水平状である請求項１乃至７の何れか１項に記載の格子状体支持構造。
【請求項９】
格子状体の格子が縦横直交状であり、各格子を構成する横方向の棒状部が水平状である請求項１乃至８の何れか１項に記載の格子状体支持構造。
【発明の詳細な説明】
【技術分野】
【０００１】
本発明は、建築物やその他の構造物の外壁面等の垂直状又は傾斜状の対象壁状面に沿って植物を栽培するための格子状体を固定支持する格子状体支持構造に関する。
【背景技術】
【０００２】
特開２００１−２０４２４３号公報には、建物の壁面等の緑化対象物の面に沿って植栽基板用の網状物を設置する緑化方法として、緑化対象物の表面に対し一定長さのブラケットなどを突出し、その先端に網状物を取り付ける方法が開示されている。
【０００３】
しかしながら、このような網状物を建物の壁面等に対し適切に取り付ける作業は、かなり煩雑であり、建物の壁面等の緑化工程の効率上、改善が望まれていた。
【先行技術文献】
【特許文献】
【０００４】
【特許文献１】特開２００１−２０４２４３号公報
【発明の概要】
【発明が解決しようとする課題】
【０００５】
本発明は、建築物やその他の構造物の外壁面等の垂直状又は傾斜状の対象壁状面に沿って植物を栽培するための格子状体を容易且つ確実に固定支持することができる格子状体支持構造を提供することを目的とする。
【課題を解決するための手段】
【０００６】
本発明の格子状体支持構造は、次のように表すことができる。
【０００７】
(1) 対象壁状面から突起し、対象壁状面に沿った所定方向に延びる複数の板状部と、
対象壁状面に対し平行状又は傾斜状をなす１又は２以上の格子状体を有し、
前記複数の板状部は、互いに前記所定方向に直交する方向において間隔おきに設けられ、
前記各板状部には、その端縁部（突起側）から基部（対象壁状面側）に向かう切込部が間隔おきに複数形成され、
前記格子状体は、それぞれの格子を構成する棒状部のうち前記各板状部に対し交差する棒状部が各板状部の切込部に挿入されて切込口への抜止がなされた状態で、前記対象壁状面の前方位置において前記複数の板状部に保持されていることを特徴とする格子状体支持構造。
【０００８】
対象壁状面から突起し、対象壁状面に沿った所定方向に延びる板状部を、互いに前記所定方向に直交する方向において間隔おきに複数設ける。各板状部には、その端縁部から基部に向かう切込部を間隔おきに複数形成する。
【０００９】
格子状体の格子を構成する棒状部のうち前記各板状部に対し交差する棒状部が各板状部の切込部に挿入されて切込口への抜止がなされることにより、前記対象壁状面の前方位置において対象壁状面に対し平行状又は傾斜状をなすように１又は２以上の格子状体が前記複数の板状部に保持された格子状体支持構造が容易に形成される。
【００１０】
(2) 植物育成用である上記(1)に記載の格子状体支持構造。
【００１１】
対象壁状面の前方位置において対象壁状面に対し平行状又は傾斜状をなすように板状部に保持される格子状体は、特に蔓植物のように他物に攀じ登る植物の育成に好適である。
【００１２】
(3) 上記抜止が、切込部における挿入された棒状部の切込口側において板状部に対し抜止体を固着することにより行われている上記(1)又は(2)に記載の格子状体支持構造。
【００１３】
(4) 切込部の所要位置に、切込部の幅よりも大きい寸法の抜止体の一部が嵌合し得る拡幅部を、抜止体の位置決め部として有する上記(3)記載の格子状体支持構造。
【００１４】
(5) 対象壁状面の前方における、対象壁状面に直交する方向において互いに水平方向間隔を有する複数の位置において、それぞれ別の格子状体が板状部に保持されている上記(1)乃至(4)の何れか１項に記載の格子状体支持構造。
【００１５】
(6) 対象壁状面に直交する方向において互いに水平方向間隔を有する位置のうち何れかの位置において支持された１又は２以上の格子状体と、他の位置において支持された１又は２以上の格子状体が、上下又は左右に或いはその他の方向に互いに一部重なるように配置されている上記(1)乃至(4)の何れか１項に記載の格子状体支持構造。
【００１６】
(7) 上下又は左右に或いはその他の方向に並んだ２以上の格子状体が、互いに一部重なるように、又は重ならないように支持された上記(1)乃至(5)の何れか１項に記載の格子状体支持構造。
【００１７】
(8) 板状部が水平状である上記(1)乃至(7)の何れか１項に記載の格子状体支持構造。
【００１８】
(9) 格子状体の格子が縦横直交状であり、各格子を構成する横方向の棒状部が水平状である上記(1)乃至(8)の何れか１項に記載の格子状体支持構造。
【発明の効果】
【００１９】
本発明によれば、格子状体の格子を構成する棒状部のうち前記各板状部に対し交差する棒状部が各板状部の切込部に挿入されて切込口への抜止がなされることにより、前記対象壁状面の前方位置において対象壁状面に対し平行状又は傾斜状をなすように１又は２以上の格子状体が前記複数の板状部に保持された格子状体支持構造が容易に形成される。
【００２０】
本発明の格子状体支持構造における、対象壁状面の前方位置において対象壁状面に対し平行状又は傾斜状をなすように板状部に保持される格子状体は、特に蔓植物のように他物に攀じ登る植物の育成に好適である。
【図面の簡単な説明】
【００２１】
【図１】格子状体が板状部に保持された状態の斜視図である。
【図２】図１の要部拡大図である。
【図３】図１の要部拡大図である。
【図４】格子状体支持構造及びプランターの斜視図である。
【図５】図４の要部拡大図である。
【発明を実施するための形態】
【００２２】
[1] 本発明の実施の形態を、図面を参照しつつ説明する。
【００２３】
図面は何れも本発明の格子状体支持構造の実施の形態の例に関するものである。
【００２４】
(1) 対象壁状面
【００２５】
対象壁状面Ｗは、建築物の垂直外壁面である。
【００２６】
(2) 格子状体
【００２７】
数個の格子状体Ｔは、何れも縦材Ｖ４本と横材Ｈ２０本からなる正方形網目の同一のワイヤーメッシュである。
【００２８】
格子状体Ｔにより、蔓植物のように他物に攀じ登る植物を好適に育成することができる。
【００２９】
(3) 板状部
【００３０】
３本のＬ形断面の比較的長尺の支持用鋼材Ｌが、長手方向が水平方向で上下等間隔となるように、それぞれの一辺において対象壁状面Ｗに対し固定され、前記各一辺の下端縁部から他辺が平板状の板状部Ｓとして前方に水平状に（対象壁状面Ｗに対し垂直状に）突起している。
【００３１】
各板状部Ｓは、対象壁状面Ｗに沿って水平方向に直線状に延びており、互いに平行状をなす。
【００３２】
板状部Ｓ同士の間隔は、保持対象である格子状体Ｔの格子のサイズに応じたもの、すなわち、９網目の長さである。
【００３３】
各板状部Ｓには、その端縁部（突起側）から基部（対象壁状面Ｗ側）の近傍に至る一定長の切込部Ｃが間隔おきに複数形成されている。切込部Ｃ同士の間隔は、保持対象である格子状体Ｔの格子を構成する縦材Ｖ同士の間隔に対応する等間隔である。
【００３４】
各板状部Ｓに設けられた切込部Ｃのうち２つおきの各切込部Ｃには、切込奥側と切込口の近傍部のそれぞれに、ボルトＢの軸部を上下方向に挿通し得る第１位置決め部Ｃ１と第２位置決め部Ｃ２が形成されている。第１位置決め部Ｃ１と第２位置決め部Ｃ２は、切込部Ｃの両側に弓形状の拡幅部が形成されて切込部Ｃの幅よりも大きな直径の軸部（ボルトＢの軸部）が挿通し得るように形成されている。
【００３５】
(4) 格子状体の支持
【００３６】
(4-1) 各格子状体Ｔは、上から１本目、１０本目及び１９本目の各横材Ｈが、それぞれ上から１番目、２番目及び３番目の各板状部Ｓの上面上に支持されるように、板状部Ｓに対し交差する縦材Ｖのうち前記各横材Ｈの直下部が、各板状部Ｓの切込部Ｃに挿入されている。
【００３７】
各格子状体Ｔは、これにより、切込部Ｃの幅方向（第１方向）に支持されると共に、板状部Ｓの上面において上向きに支持される。
【００３８】
板状部Ｓにおける２つおきの各切込部Ｃに挿入された縦材Ｖは、第１位置決め部Ｃ１及び第２位置決め部Ｃ２の一方又は両方に対し下向きに軸部が挿通されたボルトＢが板状部Ｓの下側において螺合したナットＮで固定されることにより、切込方向に保持されている。
【００３９】
(4-2) 数個の格子状体Ｔのうち一方の群の格子状体Ｔは、縦材Ｖが切込部Ｃの奥まで挿入された状態で板状部Ｓに支持されており、他方の群の格子状体Ｔは、縦材Ｖが切込部Ｃの中間位置（２つおきの各切込部Ｃにおける第１位置決め部Ｃ１と第２位置決め部Ｃ２の間の位置）に挿入された状態で板状部Ｓに支持されている。
【００４０】
一方の群の格子状体Ｔと他方の群の格子状体Ｔは、対象壁状面Ｗに沿った水平方向に交互に配設され、水平方向の端部においてのみ前後方向に重なっている。
【００４１】
一方の群の格子状体Ｔの左端又は右端の縦材Ｖは、他方の群の格子状体Ｔの右端又は左端の縦材Ｖと同じ切込部Ｃに挿入されており、例えば一方の群の格子状体Ｔの右端の縦材Ｖが切込部Ｃの奥まで挿入され、第１位置決め部Ｃ１にボルトＢ・ナットＮが固定され、その切込部Ｃの切込口側に他方の群の格子状体Ｔの左端の縦材Ｖが挿入され、第２位置決め部Ｃ２にボルトＢ・ナットＮが固定されている。逆側の縦材Ｖも同様である。
【００４２】
このようにして、対象壁状面Ｗの前方における、対象壁状面に直交する方向において互いに水平方向間隔を有する後方位置と前方位置のそれぞれにおいて、格子状体Ｔが端部においてのみ前後方向に重なる状態で、対象壁状面Ｗに対し平行状に、すなわち垂直状に、板状部Ｓにより保持された格子状体支持構造が形成される。
【００４３】
(5) 植物育成
【００４４】
格子状体支持構造における格子状体Ｔの下方部に植物育成体としてのプランターＰを配し、その植物育成体における土壌において蔓植物のように他物に攀じ登る植物を栽培することにより、その植物は、上方に延びる格子状体Ｔを攀じ登って好適に生育し得る。
【００４５】
対象壁状面Ｗの前方における、対象壁状面に直交する方向において互いに水平方向間隔を有する複数の位置において、それぞれ別の格子状体Ｔが板状部Ｓに保持されることにより、対象壁状面Ｗとその直近の格子状体Ｔの間、及び、別々の格子状体Ｔ同士の間に、それぞれ水平方向間隔を有するので、蔓植物のように他物に攀じ登る植物は、各位置に保持される格子状体Ｔに攀じ登って生育する他、互いに水平方向間隔を隔てる格子状体Ｔ間にわたって生育することも可能であり、その植物がそれらの格子状体Ｔによってより確実に保持されると共に、生育植物による遮光性が向上し得、外観の奥行きも生じ得る。
【００４６】
[2] 本発明の実施の形態を、上記以外の形態を含めて更に説明する。
【００４７】
本発明の格子状体支持構造は、対象壁状面から突起し、対象壁状面に沿った所定方向に延びる複数の板状部と、対象壁状面に対し平行状又は傾斜状をなす１又は２以上の格子状体を有してなる。
【００４８】
(1) 対象壁状面
【００４９】
対象壁状面の例としては、建築物やその他の構造物の外壁面又はその他の垂直面又は傾斜面（例えば２５度以上の傾斜面、或いは、３０度以上、４５度以上、６０度以上、又は７０度以上の傾斜面）を挙げることができる。
【００５０】
(2) 格子状体
【００５１】
格子状体としては、例えば、金属、合成樹脂又はその他の材料からなる、格子状又は網状の形状維持性を有する構造体を用いることができる。格子を構成する棒状部は、直線状であることが一般的であるが、必ずしもこれに限るものではない。また、格子を構成する棒状部は、中実状に限らず、中空状（パイプ状）や溝形状であってもよい。
【００５２】
格子状体の具体的な例としては、ワイヤーメッシュ、金網、メタルラス等が挙げられるが、これらに限らない。
【００５３】
格子状体における格子は、縦横直交状の格子であることが望ましいが、必ずしもこれに限るものではない。より好ましくは、格子状体の輪郭が方形状であり且つ格子状体における格子が輪郭の縦横辺にそれぞれ平行な縦横直交状の格子である格子状体である。更に、このような格子状体を、縦横直交状の格子における縦横の一方が水平方向となるように使用することが好ましい。
【００５４】
(3) 板状部
【００５５】
板状部は、対象壁状面から突起し、対象壁状面に沿った所定方向に延びるものである。対象壁状面に沿って所定方向にというのは、通常は所定の直線方向であるが、必ずしも直線に限るものではない。直線方向としては、水平方向とすることが一般的には好ましいが、その他の方向とすることも可能である。
【００５６】
板状部は、例えば、対象壁状面に対し垂直に突起するもの、又は、水平方向に突起するものとすることができる。より具体的には、例えば、対象壁状面が垂直面である場合に、板状部は、対象壁状面に沿って水平方向に延び、水平方向に（すなわち垂直に）突起するものとすることができる。尤も、板状部は、これらに限らず、例えば、対象壁状面に対し前方に向かって上向き傾斜状に突起するものとすることもできる。
【００５７】
板状部は、平板状であることが一般的であるが、必ずしもこれに限るものではない。
【００５８】
板状部の具体例としては、Ｌ形断面の比較的長尺の鋼材の一辺を対象壁状面に対し固定することにより、他辺が対象壁状面から突起した板状部を構成するものを挙げることができる。板状部の他の例として、一部を対象壁状面に対し固定し、他の部分が対象壁状面から突起した板状部を構成するＬ形断面以外の材料を挙げることができるが、これらに限るものではない。
【００５９】
複数の板状部は、互いに前記所定方向に直交する方向において間隔おきに設けられる。間隔は保持対象である格子状体の格子のサイズに応じたものとすることができる。等間隔であることが一般的であるが、これに限るものではない。また、複数の板状部は互いに平行状をなすことが一般的であるが、これに限るものではない。
【００６０】
各板状部には、その端縁部（突起側）から基部（対象壁状面側）に向かう切込部が間隔おきに複数形成されている。切込部同士の間隔は、保持対象である格子状体の格子のサイズに応じたものとする。一般的には等間隔であるが、必ずしもこれに限るものではない。
【００６１】
切込部の長さについては、例えば、一定とするか、又は、切込部の奥端部の位置が対象壁状面から一定距離となるものとすることができるが、これらに限るものではない。
【００６２】
(4) 格子状体の支持
【００６３】
(4-1) 格子状体は、それぞれの格子を構成する棒状部のうち各板状部に対し交差する棒状部が各板状部の切込部に挿入されて切込口への抜止がなされた状態で、前記対象壁状面の前方位置において前記複数の板状部に保持されている。
【００６４】
(4-2) 互いに前記所定方向に直交する方向において間隔おきに設けられた複数の板状部に保持されている格子状体において、多数の格子が前記所定方向に直交する方向に並んでいる場合、その所定方向に直交する方向（例えば上下方向）に並んだ所定の一連の格子の全てにおける棒状部が何れかの板状部の切込部に挿入されることを要するものではない。
【００６５】
例えば、前記所定方向に直交する方向に並んだ一連の格子における１又は２以上の格子おきの各格子における棒状部が何れかの板状部の切込部に挿入されるものとすることができる。
【００６６】
(4-3) 抜止
【００６７】
格子状体は、それぞれの格子を構成する棒状部のうち各板状部に対し交差する棒状部が各板状部の切込部に挿入されて切込口への抜止がなされることにより、切込部の幅方向における格子状体の支持（第１方向の支持）と、切込部の切込方向（切込口と切込奥の方向）における格子状体の支持（第２方向の支持）が実現される。
【００６８】
格子状体のそれぞれの格子を構成する棒状部のうち各板状部に対し交差する棒状部の、各板状部の切込部に対する挿入は、一般には、一括的に実施し得る。
【００６９】
各板状部の切込部に挿入された棒状部についての切込口への抜止は、棒状部の奥側及び切込口側への移動が阻止される状態（固定状態）で行われることが好ましいが、これに限るものではない。
【００７０】
また、各板状部の切込部に挿入された棒状部についての切込口への抜止又は固定は、少なくとも各板状体による格子状体の支持に必要な限度において行えばよく、必ずしも、板状部の切込部に挿入された全ての棒状部について行うことを要するものではない。
【００７１】
板状部の切込部に挿入された棒状部についての切込口への抜止又は固定は、任意の手段により行い得るが、例えば、切込部における挿入された棒状部の切込口側における、その棒状部が切込方向に移動可能な位置又は移動不可能な位置において、板状部に対し抜止体（切込部のうち棒状部の位置よりも切込口側を閉塞するものでもよい）を固着することにより行い得る。例えば、ボルトをナット（プッシュナットも可）等により固着することにより抜止又は固定を行うこともできる。
【００７２】
ボルトの固着は、例えば、ボルト軸部等が位置決めされる位置決め部を板状部に設けることにより行い得る。
【００７３】
より具体的には、例えば、切込部の所要位置に、切込部の幅よりも大きい寸法（例えば切込部の幅に対し１．５倍、２倍、２．５倍又は３倍以上）の抜止体の一部（例えばボルトの軸部）等が嵌合し得る拡幅部を例えば切込部の所要位置の両側又は片側に形成することにより、位置決め部とすることができる（例えば、抜止体の一部がボルトの軸部のように円形断面である場合は、拡幅部は弓形状とすることができるが、これに限るものではなく、方形状等とすることもできる）。これにより、ボルト等の抜止体が切込部の切込口側へ脱落することも防がれる。
【００７４】
また、上下又は左右に或いはその他の方向に並んだ２以上の格子状体が、互いに一部重なるように、又は重ならないように支持されたものとすることもできる。その場合、各格子状体におけるそれぞれの格子を構成する棒状部のうち各板状部に対し交差する棒状部が板状部の同一の切込部に挿入されて切込口への抜止がなされることにより、それらの格子状体を支持するものとすることもできる。
【００７５】
(4-4) 第３方向の支持
【００７６】
前記のように切込部の幅方向（第１方向）と切込部の切込方向（第２方向）に支持された格子状体が第１方向及び第２方向の何れにも直交する第３方向において板状部から離脱することは、各格子を構成する棒状部の第１方向成分により防がれ得る。
【００７７】
第３方向が上下方向であるか又は上下方向成分を有する場合は、重力により格子状体の第３方向の動きが抑えられ得る。例えば、板状部が水平方向成分を有する場合、板状部のうち水平方向成分を有する部分により、格子状体の水平方向成分を有する部分が上向きに支持され得る。典型的には、各板状部が水平状をなし、格子状体の格子が縦横直交状をなすものである場合、各格子の縦方向の棒状部が垂直状をなす状態でそれぞれの板状部における各切込口に挿入されて格子状体が垂直状に保持され、各格子の横方向の棒状部が水平状をなす状態で板状部上に支持されることにより第３方向である上下方向の格子状体の動きが抑えられ得る。
【００７８】
格子状体を第３方向において固定するには、更なる固定手段を施すことができる。例えば、抜止体により、格子状体の切込方向の固定と共に、板状部に対し格子状体を第３方向に固定することができる固定部を設けることができる。
【００７９】
(4-5) 格子状体の姿勢及び対象壁状面との位置関係
【００８０】
格子状体は、対象壁状面（例えば垂直面）に対し平行状又は傾斜状をなすものとすることができる。
【００８１】
格子状体を、対象壁状面に対し平行状とするには、格子状体は、それぞれの格子を構成する棒状部のうち前記各板状部に対し交差する棒状部が各板状部の切込部に挿入されて固定される位置の対象壁状面との距離を一定とすればよく、傾斜状とするには、その距離を傾斜の角度に応じて変化させればよい。
【００８２】
(4-6) 複数層の格子状体の支持
【００８３】
対象壁状面の前方における、対象壁状面に直交する方向において互いに水平方向間隔を有する複数の位置において、それぞれ別の格子状体が板状部に保持されているものとすることもできる。
【００８４】
対象壁状面の前方における、対象壁状面に直交する方向において互いに水平方向間隔を有する複数の位置において、それぞれ別の格子状体が板状部に保持されることにより、対象壁状面とその直近の格子状体の間、及び、別々の格子状体同士の間に、それぞれ対象壁状面に直交する方向の水平方向間隔を有するので、蔓植物のように他物に攀じ登る植物は、各位置に保持される格子状体に攀じ登って生育する他、対象壁状面に直交する方向において互いに対象壁状面に直交する方向の水平方向間隔を隔てる格子状体間にわたって生育することも可能であり、その植物がそれらの格子状体によってより確実に保持されると共に、生育植物による遮光性が向上し得、外観の奥行きも生じ得る。
【００８５】
この場合、対象壁状面に直交する方向において互いに水平方向間隔を有する各位置において、上下又は左右に或いはその他の方向に並んだ２以上の格子状体を、互いに一部重なるように、又は重ならないように支持されているものとすることもできる。
【００８６】
また、対象壁状面に直交する方向において互いに水平方向間隔を有する位置のうち何れかの位置において支持された１又は２以上の格子状体と、他の位置において支持された１又は２以上の格子状体が、上下又は左右に或いはその他の方向に互いに一部重なるように配置されたものとすることもできる。
【００８７】
対象壁状面に直交する方向に互いに水平方向間隔を有する各位置において格子状体を支持するには、例えば、格子状体の格子を構成する棒状部のうち板状部に対し交差する棒状部が切込部の奥端部まで挿入された状態で、その棒状部の切込口側にスペーサを設け（例えばボルト等の抜止体により棒状部を抜止又は固定し）、同じ切込部におけるそのスペーサの切込口側に別の格子状体の格子を構成する棒状部のうち板状部に対し交差する棒状部を挿入し、その更に切込口側にボルト等の抜止体により棒状部を抜止又は固定することができる。更に切込口側に別の格子状体を同様に保持することもできる。
【００８８】
また例えば、各板状部に切込長が異なる複数種の切込部を設け、切込部の種類毎に、格子を構成する棒状部のうち板状部に対し交差する棒状部が切込部の奥端部まで挿入された場合の対象壁状面から格子状体までの距離が異なるものとすることもできる。切込部に挿入された板状部の挿入深さをスペーサ等により調整することもできる。
【００８９】
(5) 植物育成
【００９０】
格子状体支持構造における格子状体を利用して、特に蔓植物のように他物に攀じ登る植物を好適に育成することができる。
【００９１】
例えば、格子状体支持構造における格子状体の下方部にプランター等の植物育成体を配し、その植物育成体における土壌において蔓植物のように他物に攀じ登る植物を栽培することにより、その植物は、上方に延びる格子状体を攀じ登って好適に生育し得る。
【符号の説明】
【００９２】
Ｂ      ボルト
Ｃ      切込部
Ｃ１    第１位置決め部
Ｃ２    第２位置決め部
Ｈ      横材
Ｌ      支持用鋼材
Ｎ      ナット
Ｐ      プランター
Ｓ      板状部
Ｔ      格子状体
Ｖ      縦材
Ｗ      対象壁状面
【図１】
2019024441.tif 000003
【図２】
2019024441.tif 000004
【図３】
2019024441.tif 000005
【図４】
2019024441.tif 000006
【図５】
2019024441.tif 000007